(57)【要約】【課題】本発明は、竪樋の内部の掃除が簡単で、万一竪樋内部が落ち葉や異物のために詰まった場合でも、当該異物を簡単に竪樋外部に排出できる雨樋掃除具を提供することをその課題とする。【解決手段】本発明の雨樋掃除具は、雨樋内部を通過自在としたブラシ１であって該ブラシ１を磁性体からなる芯材１１の表面に獣毛、繊維、弾性体等の掃除体１２を装着して構成し、磁石２１を棒体２２の先端に装着した掃除棒２を構成し、該ブラシ１の芯材１１と該掃除棒２の磁石２１との相互磁気結合力で、雨樋内部に挿入されたブラシ１を雨樋外部の掃除棒２で摺動自在に移動させることを特徴とするものである。【選択図】図１
2006225863.tif 000002
【特許請求の範囲】
【請求項１】
雨樋内部を通過自在としたブラシであって該ブラシを磁性体からなる芯材の表面に獣毛、繊維、弾性体等の掃除体を装着して構成し、磁石を棒体の先端に装着した掃除棒を構成し、該ブラシの芯材と該掃除棒の磁石との相互磁気結合力で、雨樋内部に挿入されたブラシを雨樋外部の掃除棒２で摺動自在に移動させることを特徴とする雨樋掃除具。
【請求項２】
前記掃除棒の磁石の先端を雨樋対向面とし、該雨樋対向面の該棒体に対する装着角度が自在となるよう該磁石を棒体に回転自在に設けたことを特徴とする請求項１記載の雨樋掃除具。
【請求項３】
前記掃除棒を伸縮自在な複数の棒体で構成したことを特徴とする請求項１または請求項２記載の雨樋掃除具。
【発明の詳細な説明】
【技術分野】
【０００１】
本発明は雨樋の内部を掃除する雨樋掃除具に係り、さらに詳しくは、特に竪樋の内部を集水器を介して掃除するための雨樋掃除具に関するものである。
【背景技術】
【０００２】
従来、軒樋に設けられた集水器にエルボを介して竪樋が接続された雨樋装置が知られている。
【特許文献１】実用新案登録第２５１２２７８号公報（第１頁、第１図）
【発明の開示】
【発明が解決しようとする課題】
【０００３】
上記特許文献１における竪樋の接続構造は、エルボと竪樋がしっかりと接続され容易には分解できなかった。従って、集水器を介して竪樋内に侵入した落ち葉や異物が竪樋内に引っ掛ると該竪樋の、水はけが悪くなり、極端な場合竪樋が内部に溜まった落ち葉や異物のために詰まってしまうということがあった。このため、竪樋の内部を定期的の掃除をするのが望ましいが、竪樋はそのエルボや集水器と強固に結合あるいは相互に接着剤で固定されているため、容易には分解できず、当該掃除が極めて面倒であるという問題があった。本発明は、竪樋の内部の掃除が簡単で、万一竪樋内部が落ち葉や異物のために詰まった場合でも、当該異物を簡単に竪樋外部に排出できる雨樋掃除具を提供することをその課題とする。
【課題を解決するための手段】
【０００４】
上記課題を解決するために、本発明に係る雨樋掃除具の第一の特徴構成は、請求項１に記載した如く、雨樋内部を通過自在としたブラシであって該ブラシを磁性体からなる芯材の表面に獣毛、繊維、弾性体等の掃除体を装着して構成し、磁石を棒体の先端に装着した掃除棒を構成し、該ブラシの芯材と該掃除棒の磁石との相互磁気結合力で、雨樋内部に挿入されたブラシを雨樋外部の掃除棒で摺動自在に移動させる点にある。
【０００５】
同第二の特徴構成は、請求項２に記載した如く、第一の特徴構成に加えて、前記掃除棒の磁石の先端を雨樋対向面とし、該雨樋対向面の該棒体に対する装着角度が自在となるよう該磁石を棒体に回転自在に設けた点にある。
【０００６】
同第三の特徴構成は、請求項３に記載した如く、第一の特徴構成または第二の特徴構成に加えて、前記掃除棒を伸縮自在な複数の棒体で構成した点にある。
【発明の効果】
【０００７】
請求項１に記載の雨樋掃除具は、前記構成であるから、竪樋内に落ち葉や異物が引っ掛ったときは、該ブラシの芯材と該掃除棒の磁石との相互磁気結合力を維持しながらブラシを集水器を介して竪樋内に挿入した状態で、掃除体の先端の磁石を竪樋の外表面に沿って上下動させることにより、竪樋内部のブラシを上下方向の摺動させることができ、該ブラシが上下方向に摺動することによりブラシの表面の掃除体が竪樋内面を擦ってきれいにすると共に、ブラシが落ち葉や異物を下方に落下させるので、当該落ち葉や異物を簡単に竪樋外部へ排出できるという効果がある。
【０００８】
請求項２に記載の雨樋掃除具は、前記構成であるから、請求項１の雨樋掃除具が有する効果に加え、掃除棒を操作して磁石を竪樋の外表面に沿って上下動させるとき、棒体と磁石との相対的な装着角度が適切に調整され、従って、磁石の雨樋対向面を竪樋の外表面に常に平行的に対向させるとができ、その結果該ブラシの芯材と該掃除棒の磁石との相互磁気結合力を一定以上に維持することができ当該掃除を簡単円滑に行えるのである。
【０００９】
請求項３に記載の雨樋掃除具は、前記構成であるから、請求項１または請求項２の雨樋掃除具が有する効果に加え、掃除棒を操作して磁石を竪樋の外表面に沿って上下動させるとき、必要に応じて、前記掃除棒の長さを調整でき、当該掃除を効率よく行うことができる。
【発明を実施するための最良の形態】
【００１０】
以下、本発明の実施形態について図面を参照して、詳細に説明する。図１及び図２は本発明に係る雨樋掃除具の一実施例を示すものであって、図１は雨樋掃除具の使用状態を説明する一部切欠側面図、図２は雨樋掃除具の掃除棒の先端部を示す部分斜視図である。図において、１はブラシ、２は掃除棒であり本発明の雨樋掃除具はブラシ１と掃除棒２とからなる。ブラシ１は磁性体からなる芯材１１の表面に獣毛、繊維、弾性体等の掃除体１２を装着したものである。掃除棒２は磁石２１を棒体２２の先端に装着したものであり、実施例においては棒体２２は２本の棒を相互締め付け自在な接続リング２２１で伸縮自在に接続したものである。従って、該棒体２２の長さは接続リング２２１を弛め、締め付けることにより自由に調整できる。棒体２２の先端にはボール２３が装着されており該ボール２３を介して磁石２１がユニバーサルジョイントされている。即ち、ボール２３
が棒体２２の先端に回動自在に装着され該ボール２３を回動自在に貫通した軸２４を介して連結体２５が連結され、該連結体２５の先端に磁石２１が連結されている。磁石２１は竪樋３の外面形状と略一致する雨樋対向面２１１を有している。４は集水器である。
【００１１】
次に、本発明の雨樋掃除具の使用方法を説明する。図１に示すように、集水器４の少し手前にブラシ１を置いた状態で、該ブラシ１の芯材１１と該集水器４の外側近傍に持ち上げられた掃除棒２の磁石２１とを磁気結合させる。次に該磁気結合力を維持した状態で該掃除棒２の磁石２１を移動して該ブラシ１を集水器４内に導入しエルボを介して該ブラシ１を竪樋３内に挿入する。この状態で掃除棒２の磁石２１を上下に沿って移動すると、磁気結合力された内部のブラシ１も上下動し、その結果、ブラシ１の掃除体１２が竪樋３の内面を擦り、竪樋３内に詰まっていた落ち葉や異物が該掃除体１２に押し出されて竪樋下方に落下していくのである。
【００１２】
このとき、磁石２１は棒体２２の先端に回動自在に装着されているから、磁石２１を上下動させても、磁石２１の雨樋対向面２１１が竪樋３の外面形状に沿って略平行な対向姿勢を維持するのである。竪樋３の下部を掃除するときは棒体２２を短くし、竪樋３の上部を掃除するときは棒体２２を長くすることにより当該掃除を楽な姿勢で行うことができる。下方に落下した落ち葉や異物は竪樋３の下端（図示せず）から排出される。
【図面の簡単な説明】
【００１３】
【図１】本発明に係る雨樋掃除具の使用状態を説明する一部切欠側面図。
【図２】本発明に係る雨樋掃除具の掃除棒の先端部を示す部分斜視図。
【符号の説明】
【００１４】
１        ブラシ
１１      芯材
１２      掃除体
２        掃除棒
２１      磁石
２１１    雨樋対向面
２２      棒体
２２１    接続リンク
２３      ボール
２４      軸
２５      連結体
３        竪樋
４        集水器
【図１】
2006225863.tif 000003
【図２】
2006225863.tif 000004